(57)【要約】【課題】  複数の冊子を簡易な形態で堅固に梱包することが可能な冊子送付物を提供する。【解決手段】  冊子送付物１０は、書籍、カタログ、雑誌等の送付用冊子２と、送付用冊子２の表面に剥離可能な弱粘性接着面で貼り付けられる宛名ラベル５と、送付用冊子２を梱包するための括りテープ３，４とを備える。括りテープ３，４は、送付用冊子２の上下方向に周回してページ束を括る縦テープ３と、送付用冊子２の左右方向に周回してページ束を括る横テープ４とをクロスさせるもので、縦テープ３および横テープ４の少なくとも片面に熱溶着性接着面が形成される。送付用冊子２の梱包時に、環状の縦テープ３の端部を重ねて熱溶着する一方、環状の横テープ４の端部を重ねて熱溶着する。縦テープ３の幅と横テープ４の幅とは等しく設定するとよい。またテープ表面に広告を表示するとよい。【選択図】図１
0003136245.tif 000002
【実用新案登録請求の範囲】
【請求項１】
書籍、カタログ、雑誌等の送付用冊子と、
受取人、差出人等の情報を表示するために、前記送付用冊子の表面に剥離可能な弱粘性接着面で貼り付けられる宛名ラベルと、
前記送付用冊子を梱包するための括りテープとを備え、
前記括りテープは、
前記送付用冊子の上下方向に周回してページ束を括る縦テープと、前記送付用冊子の左右方向に周回してページ束を括る横テープとをクロスさせて前記送付用冊子を括るものであり、
前記縦テープおよび前記横テープの少なくとも片面には、熱溶着性接着面が形成されており、
前記送付用冊子の梱包時に、環状の前記縦テープの端部を重ねて熱溶着する一方、環状の前記横テープの端部を重ねて熱溶着してなることを特徴とする、冊子送付物。
【請求項２】
請求項１記載の冊子送付物であって、前記縦テープの幅と前記横テープの幅とが等しく設定される、冊子送付物。
【請求項３】
請求項１または２記載の冊子送付物であって、前記括りテープの表面に広告が表示される、冊子送付物。
【請求項４】
請求項１〜３のいずれか一項記載の冊子送付物であって、前記縦テープと前記横テープとの交叉部を重ねて熱溶着してなる、冊子送付物。
【請求項５】
書籍、カタログ、雑誌等の送付用冊子と、
受取人、差出人等の情報を表示するために、前記送付用冊子の表面に剥離可能な弱粘性接着面で貼り付けられる宛名ラベルと、
前記送付用冊子を梱包するための括りテープとを備え、
前記括りテープは、
前記送付用冊子を斜め方向に周回してページ束を括る斜行テープにより前記送付用冊子を括るものであり、
前記斜行テープの少なくとも片面には、熱溶着性接着面が形成されており、
前記送付用冊子の梱包時に、前記斜行テープを前記送付用冊子の上下端および左右端のほぼ中央付近で冊子表裏に折り返して斜め掛けして環状とし、その端部を重ねて熱溶着してなることを特徴とする、冊子送付物。
【請求項６】
請求項５記載の冊子送付物であって、前記括りテープの表面に広告が表示される、冊子送付物。
【請求項７】
請求項１〜６記載のいずれか一項の冊子送付物を作製するものであって、
前記括りテープと、
前記宛名ラベルを台紙に貼り付けてなる宛名シートと、
前記括りテープの端部を熱溶着可能な結束機とを組み合わせてなる、冊子送付用梱包キット。
【考案の詳細な説明】
【技術分野】
【０００１】
本考案は、カタログ、雑誌、書籍等の冊子を環境に優しい梱包形態で手軽に送れるようにした冊子送付物および冊子送付用梱包キットに関するものである。
【背景技術】
【０００２】
従来より、カタログ、雑誌、書籍等の冊子を送付するための梱包形態として、封入や梱包を行うことなく、冊子の表紙に直接宛名ラベルを貼り付ける簡易梱包が知られている。このような梱包形態では、冊子のページ束が開かないように、冊子の綴じ代（背）と反対側、すなわち見開き側の端（以下、小口端という。）に弱粘着性の剥離テープを貼り、ページを袋綴じ状態にして受取人に送る。
梱包作業は、例えば手作業で冊子に剥離テープを貼るか、または、専用の梱包装置に必要な数の冊子をセットし、これらの冊子に連続的にテープを貼り付けるようにしている。テープの貼り方は、例えば、冊子の小口端に沿って真っ直ぐに、かつ、テープ幅の中央に小口端が当たるように位置決めする。受取人は、冊子を受け取った後、テープを剥がすことで冊子の中身を見ることができる。
なお、この種の簡易梱包に関する先行技術としては、特許文献１〜３が開示されている。
【０００３】
【特許文献１】特開平１０−３５１５２号公報
【特許文献２】特開平１０−３５１５３号公報
【特許文献３】特開平１０−３５１５４号公報
【考案の開示】
【考案が解決しようとする課題】
【０００４】
しかしながら、このような従来の簡易梱包による冊子送付物では、剥離テープの粘着力が弱いため、複数の冊子を束ねて梱包すると、剥離テープが剥がれて冊子がばらけるおそれがある。例えば冊子送付物をトラック等で輸送する際に、輸送時の揺れや負荷等を受けて剥離テープが剥がれやすく、梱包の信頼性が不十分となっていた。
【０００５】
本考案は、このような現状に鑑みなされたもので、複数の冊子を簡易な形態で堅固に梱包することが可能な冊子送付物および冊子送付用梱包キットを提供することを目的としている。
【課題を解決するための手段】
【０００６】
［第１考案］
前記課題を解決するための第１考案による冊子送付物は、
書籍、カタログ、雑誌等の送付用冊子と、
受取人、差出人等の情報を表示するために、前記送付用冊子の表面に剥離可能な弱粘性接着面で貼り付けられる宛名ラベルと、
前記送付用冊子を梱包するための括りテープとを備え、
前記括りテープは、
前記送付用冊子の上下方向に周回してページ束を括る縦テープと、前記送付用冊子の左右方向に周回してページ束を括る横テープとをクロスさせて前記送付用冊子を括るものであり、
前記縦テープおよび前記横テープの少なくとも片面には、熱溶着性接着面が形成されており、
前記送付用冊子の梱包時に、環状の前記縦テープの端部を重ねて熱溶着する一方、環状の前記横テープの端部を重ねて熱溶着してなる構成とした。
【０００７】
第１考案の冊子送付物によれば、複数の冊子を括りテープ（縦テープと横テープ）により縦横十文字の方向に束ねることができる。各テープの端部は、熱溶着により強固に結束されるため、輸送の途中で接着面が剥がれる心配がない。この結果、複数の冊子を安心して送付することができる。
【０００８】
受取人が冊子送付物を開封する場合には、冊子表面から宛名ラベルを剥がして、括りテープをハサミやカッター等で切断すればよい。この際、縦テープと横テープとの交叉部を切断すれば、ワンカットで括りテープを冊子からほどくことも可能である。開封時に生じるゴミは、宛名ラベルと括りテープのみであり、環境への負担も少ない。
【０００９】
なお、前述の特許文献１，３には、冊子の縦横方向に十文字に梱包テープを貼ってページ束を括る梱包形態が開示されている（特許文献１の図１１，特許文献３の図１０参照）。
しかしながら、この種の冊子送付物では、縦横方向の梱包テープが弱粘着性の剥離可能な接着面で冊子に貼り付けられるため、複数の冊子を束ねようとすると、その重さでテープが剥がれやすく、梱包の信頼性に欠ける。また、剥離テープの接着面が大きいため冊子表面から剥がす作業が面倒である。
本考案では、冊子の縦横方向に括りテープを十文字に巻き付けた上で、環状のテープ端部を熱溶着で固定することで、梱包の信頼性が大幅に向上し、複数の冊子を安心して送付することができる。また、開封時には括りテープの一部を切断するだけで、簡単に冊子から括りテープを取り外すことができる。この点、特許文献１，３に係る発明とは構成および作用が異なる。
【００１０】
［第２考案］
第２考案の冊子送付物は、第１考案の構成を備えるものであって、前記縦テープの幅と前記横テープの幅とが等しく設定される構成とした。
【００１１】
前述の特許文献１，３の冊子送付物に開示されるように、冊子の十文字方向に括りテープを巻く場合、縦方向と横方向のテープの幅が異なると、梱包時に縦テープと横テープとをそれぞれ別個に準備する手間がかかり、梱包のコストが大きくなる。
【００１２】
第２考案の構成によれば、縦方向と横方向のテープ幅が等しく設定されるため、単一の括りテープを縦横兼用で用いることができ、梱包作業を単純化して梱包コストを抑えることが可能になる。
【００１３】
［第３考案］
第３考案の冊子送付物は、第１または第２考案の構成を備えるものであって、前記括りテープの表面に広告が表示される構成とした。
【００１４】
このような構成によれば、冊子送付物の外観を見て受取人が送り主の企業名・商品名などを知ることができる。また、括りテープを解く際にも受取人にテープ表面の広告が目に留まりやすく、括りテープの表面を広告スペースとして有効利用することができる。
【００１５】
［第４考案］
第４考案の冊子送付物は、第１〜３考案のいずれかの構成を備えるものであって、前記縦テープと前記横テープとの交叉部を重ねて熱溶着してなる構成とした。
【００１６】
このような構成によれば、縦テープと横テープとの交叉部が熱溶着で固定されるためテープ同士が互いの位置ズレを防止する。このため、冊子を括る各テープの位置ズレの心配がなくなり、より信頼性の高い梱包形態とすることができる。
【００１７】
［第５考案］
前記課題を解決するための本考案による冊子送付物は、
書籍、カタログ、雑誌等の送付用冊子と、
受取人、差出人等の情報を表示するために、前記送付用冊子の表面に剥離可能な弱粘性接着面で貼り付けられる宛名ラベルと、
前記送付用冊子を梱包するための括りテープとを備え、
前記括りテープは、
前記送付用冊子を斜め方向に周回してページ束を括る斜行テープにより前記送付用冊子を括るものであり、
前記斜行テープの少なくとも片面には、熱溶着性接着面が形成されており、
前記送付用冊子の梱包時に、前記斜行テープを前記送付用冊子の上下端および左右端のほぼ中央付近で冊子表裏に折り返して斜め掛けして環状とし、その端部を重ねて熱溶着してなる構成とした。
【００１８】
このような構成によれば、単一の括りテープで冊子の上下左右を周回してページ束を括るため、熱溶着の作業がテープ端部を重ねる部分の一カ所だけで済む。このため、梱包作業をより簡略化することが可能になる。
また、冊子の表裏に括りテープが斜め方向に延びて見えるから、デザイン的にも斬新な梱包形態となる。
さらに、冊子の表裏中央付近に宛名ラベルを配置することができ、その見栄えが良好になる。
【００１９】
［第６考案］
第６考案の冊子送付物は、第５案の構成を備えるものであって、前記括りテープの表面に広告が表示される構成とした。
【００２０】
このような構成によれば、第３考案と同様に、送り主の企業名・商品名などを括りテープによって受取人に見せることができ、括りテープの表面を広告スペースとして有効利用することができる。
【００２１】
本考案（第１〜６考案）は、書籍、カタログ、雑誌、パンフレットの他、ポスター、チラシなどの書類の束やＣＤ、ＤＶＤ等のディスクを送るのに適用してもよい。業務用の他、家庭用として使用してもよいことはもちろんである。
配送形態は特に限定されず、郵便であっても宅配業者によるものであってもよい。宅配業者による場合、書籍、カタログ、雑誌等の冊子（第三種郵便物）をメール便として受取人の郵便受箱に投函することもできる。
【００２２】
本考案（第１〜６考案）は、必要に応じて単独で適用してもよいし、これらの考案を組み合わせて適用してもよい。また、本明細書に記載される他の考案を組み合わせてもよい。
また、本考案（第１〜６考案）の冊子送付物を作製するために、括りテープと、宛名ラベルを台紙に貼り付けてなる宛名シートと、括りテープの端部を熱溶着可能な結束機とを組み合わせて冊子送付用梱包キットとしてもよい。
【考案を実施するための最良の形態】
【００２３】
以下、本考案の実施の形態を図面に基づいて説明する。
［第１実施形態］
図１〜図５に第１実施形態による冊子送付物１０を示した。図１および図２に示すように、冊子送付物は、２冊の冊子２が束ねられて括りテープ３，４で梱包されている。冊子２は、カタログ等である。冊子２の表紙には宛名ラベル５が剥離可能に貼り付けられている。
【００２４】
括りテープ３，４は、縦テープ３と横テープ４の２本のテープからなっている。縦テープ３は、冊子２の上下方向に周回してその端部４ａで環状に繋がり（図３参照）、横テープ４は、冊子２の左右方向に周回してその端部３ａで環状に繋がっている（図４参照）。これらのテープ３，４は、交叉部Ｘで十文字にクロスして冊子２の表面に沿って適度な力で引っ張られており、冊子２の縦横方向にズレにくくなっている。
【００２５】
縦テープ３および横テープ４は、紙材からなるもので、テープ内側面に熱溶着性の接着材（樹脂）が塗布されている。梱包の際に端部３ａを重ねて専用の結束機で熱溶着することで、各テープ３，４が環状に繋がる。熱溶着されない他の部分は、冊子の表面と接触するだけで、接着材が冊子に付着するようなことはない。
【００２６】
宛名ラベル５には、受取人の住所や氏名等の情報を記載するための受取人情報記載欄、差出人の氏名、住所等を表示する差出人情報記載欄、送付物の種類やその他の情報を表示する備考情報記載欄等が設けられている。送り主や配送業者等がこれらの各表示欄に必要な情報を適宜記載する。
【００２７】
宛名ラベル５の糊面は、再剥離可能な弱粘着性の接着材（ベタツキ感（タック感）の強い樹脂、例えば天然ゴム（ＮＲ）、エステル化天然ゴム、スチレン・ブタジエンゴム（ＳＢＲ）、クロロプレンゴム、ポリ酢酸ビニル、ポリメチルメタクリレート（ＰＭＭＡ）等が挙げられる。）からなっている。例えば台紙から剥がした宛名ラベル５を再度台紙の上に貼り戻すこともできるし、また、送付するための冊子２の表紙に貼り付けた宛名ラベル５を剥がして張り直すことも可能である。剥がした後には、冊子２の表面には接着材がほとんど残らない。宛名ラベル５の右上角には摘み部５ａが設けられる。摘み部５ａには糊面が形成されないため、この摘み部５ａを指などで摘むと、宛名ラベル５を容易に剥がすことができる。
【００２８】
冊子送付物１０は、郵便や宅配で受取人の元へ送付する。冊子送付物１０を受け取った受取人は、括りテープ３，４をハサミやカッターナイフで切断し、宛名ラベル５を剥がすことで、梱包を開封することができる。開封後のゴミは、括りテープ３，４と宛名ラベル５だけなので、ゴミの発生量が極めて少なく環境に負担をかけにくい。また、宛名ラベル５は、丸めるか、破るなどして廃棄することができ、個人情報の流出を簡易に防ぐことができる。
【００２９】
本実施形態の冊子送付物１０によれば、縦テープ３および横テープ４の端部を熱溶着で固定するため、輸送時などに各テープが剥がれて冊子２がばらける心配がない。また、縦テープ３および横テープ４を十文字にクロスさせて冊子２を括るため、冊子２が複数あってもばらけにくく、安心して受取人の元へ送付することができる。
さらに、冊子送付物１０では、縦テープ３と横テープ４とのテープ幅が等しくなっているため、梱包時に両テープを区別する必要はない。このため、縦横兼用のテープを用いて梱包作業することができ、その作業負担および資材コストが少なくて済む。
【００３０】
［第２実施形態］
次に、本考案の第２実施形態を図６に示す。
第２実施形態の冊子送付物２０は、括りテープ３，４の表面に広告２１を表示したものである。図６の例では、テープ表面に「ecomail」の文字が一定間隔で印刷されている。他の構成は、前述の第１実施形態と同様である。
【００３１】
第２実施形態によれば、冊子送付物２０の受取人に広告２１を見せることで、括りテープ３，４の表面を広告スペースとして有効利用することができる。括りテープ３，４は冊子２の外側に露出して受取人の目に留まりやすい位置にあり、有効な広告効果を期待することができる。なお、広告２１は、企業名、店名、事務所名、商品名、サービス名、電話番号、住所等の送り主の希望する内容であればよい。
【００３２】
［第３実施形態］
本考案の第３実施形態を図７に示す。
第３実施形態の冊子送付物３０は、括りテープの数を縦横それぞれ２本としたものである。４冊の冊子２が２本の縦テープ３３と２本の横テープ３４とにより束ねられている。
冊子２の上下方向に２本の縦テープ３３が環状に巻かれ、冊子２の左右方向に２本の横テープ３４が環状に巻かれている。これらのテープ端部は熱溶着により固定される。
冊子２の表紙中央には、縦テープ３３と横テープ３４に囲まれた部分に宛名ラベル５が剥離可能に貼り付けられる。
【００３３】
第３実施形態によれば、縦横２本、合計４本の括りテープにより冊子２の結束を強化することができ、梱包の信頼性をさらに高めることができる。これにより、冊子の数が増えても、安心して冊子送付物３０を送付することができる。
また、冊子２の表裏中央付近に宛名ラベル５を配置することで、冊子送付物３０の見栄えが良好になる。
【００３４】
［第４実施形態］
本考案の第４実施形態を図８に示す。
第４実施形態は、冊子２の括りテープとして斜行テープ４１を用いたものである。斜行テープ４１は、冊子２の上下端および左右端のほぼ中央付近で冊子表裏に折り返されて斜め掛けされる。テープ端部４１ａは、熱溶着されて環状に繋げてある。
冊子２の表紙中央には、斜行テープ４１で挟まれた部分に宛名ラベル５が剥離可能に貼り付けられる。
【００３５】
第４実施形態によれば、一本の斜行テープ４１で冊子２の上下左右を周回してページを束ねるため、斜行テープ４１の熱溶着作業がテープ端部の一カ所だけで済む。このため、括りテープの材料コストを抑え、梱包作業の負担を軽減することが可能になる。
また、冊子２の表裏に斜行テープ４１が斜め方向に露出するため、デザイン的にも斬新な梱包形態とすることができる。
さらに、冊子２の表裏中央付近に宛名ラベル５を配置することで、冊子送付物４０の見栄えが良好になる。
【００３６】
［第５実施形態］
本考案の第５実施形態を図９および図１０に示す。第５実施形態は、冊子送付用梱包キットの構成例を示したものである。
冊子送付用梱包キット５０は、基本的な構成品として宛名シート５１、宛名印刷用ＣＤ−ＲＯＭ５２、括りテープ５３、および熱溶着用の結束機５４を備えている。これらの構成品が同一梱包されて製品として販売等されるものである。なお、宛名印刷用ＣＤ−ＲＯＭ５２については、必要に応じて、本キットの構成品から外すこともできる。
【００３７】
図１０に示すように、宛名シート５１は、台紙５５に所定数の宛名ラベル５６が貼り合わされてなる。図１０の例では、左右に４枚ずつ、合計８枚の宛名ラベル５６が縦に連なって設けられている。宛名ラベル５６を使用するときには台紙５５から宛名ラベル５６を一枚ずつ剥がすことになる。
【００３８】
宛名印刷用ＣＤ−ＲＯＭ５２には、宛名シート５１に受取人や差出人の情報を印字するためのアプリケーションソフトが格納されている。このアプリケーションソフトをパソコンにインストールして立ち上げると、受取人、差出人等の情報入力画面が立ち上がる。この入力画面に必要な情報を入力し、プリンタで印字すると、宛名ラベル５６の受取人情報記載欄、差出人情報記載欄および備考情報記載欄の各欄に必要な情報が正確に位置決めされて印字される。このように宛名印刷用ＣＤ−ＲＯＭ５２を使用することで、差出人の宛名ラベル５６の作製作業が軽減されることになる。
【００３９】
冊子２を送付する場合、結束機５４に必要な数の冊子をセットし、括りテープ５３を巻いてテープ端部を熱溶着する。括りテープ５３の巻き方は、前述の第１〜第４実施形態のいずれでも構わない。
このように冊子送付用梱包キット５０を用いれば、極めて簡易な梱包形態で冊子送付物を送付することができる。
【００４０】
以上、本考案の実施形態を説明したが、本考案の実施形態はこれに限られることなく、種々の変形を伴ってもよい。
第１〜第３実施形態において、縦テープと横テープとの交叉部を熱溶着により固定してもよい。このような構成によれば、各テープの位置ズレが防止されるため、冊子２の梱包形態をさらに安定させることができる。
第１〜第５実施形態において、括りテープのテープ幅を冊子の数や重さによってより適宜変更してもよい。縦テープと横テープとのテープ幅に差を付けてもよい。
また、宛名ラベルの貼り付け位置は、冊子の表紙に直接貼る必要はなく、括りテープの上から重ねて貼り付けてもよい。
【図面の簡単な説明】
【００４１】
【図１】本考案の第１実施形態による冊子送付物を示す斜視図である。
【図２】同冊子送付物を示す正面図である。
【図３】同冊子送付物を示すもので、縦テープの巻き方を説明するための側面図ある。
【図４】同冊子送付物を示すもので、横テープの巻き方を説明するための平面図ある。
【図５】同冊子送付物の括りテープの熱溶着部分を示す部分拡大断面図である。
【図６】本考案の第２実施形態による冊子送付物を示す斜視図である。
【図７】本考案の第３実施形態による冊子送付物を示す斜視図である。
【図８】本考案の第４実施形態による冊子送付物を示す斜視図である。
【図９】本考案の第５実施形態による冊子送付用梱包キットを示す概略構成図である。
【図１０】同冊子送付用梱包キットの宛名シートを示す正面図である。
【符号の説明】
【００４２】
１０    第１実施形態の冊子送付物
２    冊子
３    縦テープ（括りテープ）
３ａ  縦テープの端部
４    横テープ（括りテープ）
４ａ  横テープの端部
５    宛名ラベル
２０    第２実施形態の冊子送付物
２１    広告
３０    第３実施形態の冊子送付物
３３    縦テープ（括りテープ）
３４    横テープ（括りテープ）
４０    第４実施形態の冊子送付物
４１    斜行テープ（括りテープ）
５０    第５実施形態の冊子送付用梱包キット
５１    宛名シート
５２    宛名印刷用ＣＤ−ＲＯＭ５２
５３    括りテープ
５４    結束機
【図１】
0003136245.tif 000003
【図２】
0003136245.tif 000004
【図３】
0003136245.tif 000005
【図４】
0003136245.tif 000006
【図５】
0003136245.tif 000007
【図６】
0003136245.tif 000008
【図７】
0003136245.tif 000009
【図８】
0003136245.tif 000010
【図９】
0003136245.tif 000011
【図１０】
0003136245.tif 000012